(57)【特許請求の範囲】
【請求項１】
入力側と出力側の解像度が異なる画像処理装置であって、
入力画像に対して領域ごとに領域の属性を設定する領域属性設定手段と、
入力画像データに対して前記領域属性設定手段によって設定された前記領域の属性を基に、画素の属性を表す画素属性情報を画素ごとに付す画素属性情報付加手段と、
前記領域属性設定手段によって設定された前記領域の属性に応じた補間法を設定する補間法設定手段と、
前記補間法設定手段によって設定された補間法に基づいて、前記画素属性情報付加手段によって前記入力画像データに対して画素ごとに付された前記画素属性情報を補間する補間手段と
を備えることを特徴とする画像処理装置。
【請求項２】
前記補間法設定手段は、前記補間手段によって補間された前記属性情報が、前記領域属性設定手段によって設定された前記領域の属性になる確率が高くなるように補間法を設定する
ことを特徴とする請求項１記載の画像処理装置。
【請求項３】
前記領域属性設定手段は、ユーザーが領域ごとに当該領域の属性を指定して入力する入力手段である
ことを特徴とする請求項１記載の画像処理装置。
【請求項４】
前記領域属性設定手段は、前記入力画像データから領域ごとに当該領域の属性を検知する検知手段である
ことを特徴とする請求項１記載の画像処理装置。
【請求項５】
前記領域の属性は、画像の種別またはカラーモードを表わす
ことを特徴とする請求項１記載の画像処理装置。
【請求項６】
前記補間法設定手段は、複数タイプの補間テーブルを有し、これら補間テーブルの中から前記領域属性設定手段によって設定された前記領域の属性に対応した補間テーブルを選択して設定する
ことを特徴とする請求項１記載の画像処理装置。
【請求項７】
入力側と出力側の解像度が異なる画像処理装置であって、
入力画像に対して領域ごとに領域の属性を設定する領域属性設定手段と、
入力画像データに対して前記領域属性設定手段によって設定された前記領域の属性を基に、画素の属性を表す画素属性情報を画素ごとに付す画素属性情報付加手段と、
前記領域属性設定手段によって設定された前記領域の属性に応じた補間法を設定する補間法設定手段と、
前記入力画像データの解像度変換を行うとともに、前記補間法設定手段で設定された補間法に基づいて前記画素属性情報を補間することにより前記画素属性情報の解像度変換を行う解像度変換手段と
を備えることを特徴とする画像処理装置。
【請求項８】
入力側と出力側の解像度が異なる画像処理装置における画像処理方法であって、
入力画像に対して領域ごとに領域の属性を設定する領域属性設定ステップと、
入力画像データに対して前記領域属性設定ステップで設定した前記領域の属性を基に、画素の属性を表す画素属性情報を画素ごとに付す画素属性情報付加ステップと、
前記領域属性設定ステップで設定した前記領域の属性に応じた補間法を設定する補間法設定ステップと、
前記補間法設定ステップで設定した補間法に基づいて、前記画素属性情報付加手段で前記入力画像データに対して画素ごとに付した前記画素属性情報を補間する補間ステップと
を有することを特徴とする画像処理方法。
【請求項９】
入力側と出力側の解像度が異なる画像処理装置における画像処理方法補であって、
入力画像に対して領域ごとに領域の属性を設定する領域属性設定ステップと、
入力画像データに対して前記領域属性設定ステップで設定した前記領域の属性を基に、画素の属性を表す画素属性情報を画素ごとに付す画素属性情報付加ステップと、
前記領域属性設定ステップで設定した前記領域の属性に応じた補間法を設定する補間法設定ステップと、
前記入力画像データの解像度変換を行うとともに、前記補間法設定ステップで設定した補間法に基づいて前記画素属性情報を補間することにより前記画素属性情報の解像度変換を行う解像度変換ステップと
を有することを特徴とする画像処理方法。
【発明の詳細な説明】
【０００１】
【発明の属する技術分野】
本発明は画像処理装置および画像処理方法に関し、特に入力側と出力側の解像度が異なる複写機などの画像処理装置および当該画像処理装置における画像処理方法に関する。
【０００２】
【従来の技術】
画像処理装置、例えば複写機において、原稿から読み取る入力画像と紙等の記録媒体に印刷する出力画像の解像度とが異なる場合がある。一例として、ＣＣＤ(Charge Coupled Device) センサ等を用いたイメージセンサの解像度が４００ｄｐｉ(dot per inch)であり、プリンタ等の画像形成部の解像度が６００ｄｐｉであるような場合である。
【０００３】
このように、解像度が入力側と出力側とで異なる複写機では、当然のことながら、入力された画像情報に対して画像処理を行う画像処理系において、例えば４００ｄｐｉの入力画像の解像度を、出力側の解像度である６００ｄｐｉに変換することが必要となる。この解像度を変換する装置としては、従来、例えば特開平１１−５８８２４号公報に開示の画像処理装置が知られている。
【０００４】
当該公報に開示の画像処理装置では、入力される画像信号から黒文字および黒線画領域を検出するとともに、入力画像信号の濃度を判定し、黒文字および黒線画領域の検出結果ならびに濃度の判定結果に基づいて、入力画像信号の解像度を４００ｄｐｉから８００ｄｐｉに変換するようにしている。
【０００５】
【発明が解決しようとする課題】
このように、黒文字および黒線画領域において入力画像の解像度を４００ｄｐｉから８００ｄｐｉに変換する構成の従来の画像処理装置では、原稿タイプの誤判定があった場合に誤った階調再現がなされてしまうという不具合がある。すなわち、ユーザーが例えばユーザーインターフェースから原稿に対して矩形エリアを指定するとともに、その内部領域を写真モードとして、それ以外の領域を地図モードとしてそれぞれ選択して、矩形エリア内は写真的なリニアリティのある階調補正を希望したとする。このとき、写真領域であっても黒文字判定されると、高解像度でＨｉｇｈ−γ的な階調補正が施されてしまう。
【０００６】
本発明は、上記課題に鑑みてなされたものであり、その目的とするところは、原稿タイプに応じた階調再現が可能な画像処理装置および画像処理方法を提供することにある。
【０００７】
【課題を解決するための手段】
本発明による画像処理装置は、入力側と出力側の解像度が異なる画像処理装置であって、入力画像に対して領域ごとに領域の属性を設定する領域属性設定手段と、入力画像データに対して前記領域属性設定手段によって設定された前記領域の属性を基に、画素の属性を表す画素属性情報を画素ごとに付す画素属性情報付加手段と、前記領域属性設定手段によって設定された前記領域の属性に応じた補間法を設定する補間法設定手段と、前記補間法設定手段によって設定された補間法に基づいて、前記画素属性情報付加手段によって前記入力画像データに対して画素ごとに付された前記画素属性情報を補間する補間手段とを備える構成となっている。
【０００８】
上記構成の画像処理装置において、領域属性設定手段によって入力画像に対して領域ごとに領域の属性が設定されると、画素属性付加手段は当該領域の属性を基に画素の属性を表す画素属性情報を入力画像データに対して画素ごとに付加し、また補間設定手段は領域属性設定手段によって設定された領域の属性に応じた補間法を設定する。そして、補間手段は、補間設定手段によって設定された補間法に基づいて、入力画像データに対して画素ごとに付された画素属性情報を補間する。その結果、入力画像データに対して画素ごとに付された画素属性情報の解像度が変換される。
【０００９】
【発明の実施の形態】
以下、本発明の実施の形態について図面を参照して詳細に説明する。図１は、本発明に係る画像処理装置である例えばデジタル複写機の全体の構成を示すブロック図である。
【００１０】
図１において、システム制御部１１はＣＰＵ等から構成され、システム全体の制御、具体的には原稿読取部１２や画像処理部１３の制御を司る。ユーザーインターフェース（ＵＩ）１４は、複写に当たってユーザーが各種の設定情報を入力するために設けられたものである。このユーザーインターフェース１４からは、原稿サイズや複写枚数などの各種の情報の他に、原稿の領域を指定する際の領域情報や、指定した領域の属性、例えば画像の種別（以下、原稿タイプと称す）情報などが入力され、システム制御部１１に供給される。原稿タイプとしては、文字／写真／地図／印画紙などが挙げられる。
【００１１】
ＣＣＤセンサ１５はイメージスキャナを構成し、原稿（図示せず）の画像情報を読み取ってＲ（赤）Ｇ（緑）Ｂ（青）のアナログ画像信号として原稿読取部１２に供給する。ＣＣＤセンサ１５としては、例えば４００ｄｐｉの解像度のものが用いられる。原稿読取部１２は、Ａ／Ｄコンバータ１２１、ＣＣＤ制御回路１２２および信号処理回路１２３などによって構成されている。
【００１２】
この原稿読取部１２において、Ａ／Ｄコンバータ１２１は、ＣＣＤセンサ１５から供給されるアナログＲＧＢ信号をデジタルＲＧＢ信号に変換し、ＣＣＤ制御回路１２２に供給する。ＣＣＤ制御回路１２２は、デジタルＲＧＢ信号に対して相関二重サンプリング（ＣＤＳ）などの処理を施した後、信号処理回路１２３に供給する。信号処理回路１２３は、デジタルＲＧＢ信号に対してシェーディング補正やグレイバランス補正などの各種の信号処理を行う。
【００１３】
原稿読取部１２から出力されるＲＧＢ信号は一旦画像メモリ１６に格納された後、画像処理部１３に供給される。画像処理部１３は、色空間変換回路１３１、編集回路（基板）１３２、色変換回路１３３、ＴＩ分離回路１３４、拡大・縮小回路１３５、フィルタ１３６、ＴＲＣ（Tone Reproduction Correction；階調補正）回路１３７および解像度変換回路１３８などによって構成されており、これら各回路はデータバス１３９を介してＣＰＵ１４０と接続されている。画像処理部１３にはさらにＲＯＭ１４１が内蔵されており、このＲＯＭ１４１は後述する補間テーブルが格納されている。
【００１４】
この画像処理部１３において、色空間変換回路１３１は、画像メモリ１６から供給されるＲＧＢ信号をＬ* ａ* ｂ* 信号に色空間変換し、このＬ* ａ* ｂ* 信号を編集回路１３２に供給する。編集回路１３２はＬ* ａ* ｂ* 信号に対して、ユーザーインターフェース１４で設定され、システム制御部１１を通して与えられる領域情報を展開し、これに基づいてエリア信号や原稿タイプ（画像種別）などの画素の属性を表わす属性情報を画素ごとに付加して出力する。この属性情報には、フィルタ係数、階調補正カーブ（ＴＲＣ９、スクリーン係数などの画質調整パラメータが含まれている。
【００１５】
ここで、エリア信号について詳述する。エリア信号を例えば４ビットの信号とすると、領域を１６（＝２4 ）通りに区分できることになる。そこで、図２において、原稿全面をエリア信号０（００００）とすると、１５個の特定領域を設定できる。ここでは、２つの特定領域１，２を指定した場合を例にとって示している。そして、特定領域１にはエリア信号１（０００１）、特定領域２にはエリア信号２（００１０）、……という具合に、編集回路１３２において各領域ごとにエリア信号を生成する。
【００１６】
色変換回路１３３は、Ｌ* ａ* ｂ* 信号をＹ（イエロー）Ｍ（マゼンタ）Ｃ（シアン）Ｋ（クロ）信号に色変換し、このＹＭＣＫ信号を拡大・縮小回路１３５に供給する。ＴＩ分離回路１３４は、原稿の画像が二値画像である文字画像なのか、中間調画像である絵柄画像であるかを識別し、そのＴＩ分離結果をエリア信号と共に色変換回路１３３および拡大・縮小回路１３５に供給する。
【００１７】
拡大・縮小回路１３５は、ＹＭＣＫ信号に対して拡大／縮小処理を行った後、フィルタ１３６に供給する。フィルタ１３６は、ＹＭＣＫ信号に対して絵や文字をシャープにしたり、印刷原稿の網点を除去して見苦しいモアレパターンを防いだりするためのフィルタリング処理を行う。そのフィルタリング処理では、あるフィルタ係数と画像データとの結合積（移動平均）を求める処理が行われる。
【００１８】
次段のＴＲＣ回路１３７では、画像処理部１３の内部の特性値である濃度ないし明度データを画像出力部１７の特性値の面積率に変換する処理が行われる。このＴＲＣ回路１３７までの信号処理では、ＣＣＤセンサ１５の解像度である４００ｄｐｉで処理される。ＴＲＣ回路１３７からは、画像データと共に、画質調整パラメータの１つであるスクリーン線数を表わすスクリーンタグ信号（以下、単にタグ信号と称す）が出力される。
【００１９】
このタグ信号は、画像データに対して画素ごとに付加されており、例えば２ビット（００，０１，１０，１１）で４種類のスクリーン線数を指定する。解像度変換回路１３８では、画像データおよびタグ信号に対して４００ｄｐｉから画像出力部１７の解像度である例えば６００ｄｐｉへの解像度変換が行われる。この解像度変換回路１３８において、タグ信号に対して解像度を変換する回路部分が本発明の特徴とする部分であり、その具体的な回路構成については後述する。
【００２０】
画像処理部１３から出力されるタグ信号および画像データは、画像出力部１７に供給される。画像出力部１７は、画像処理部１３からの時系列的な画像データに対してタグ信号に応じたスクリーン生成等の制御を行う出力制御部１７１と、一次元の信号を二次元の画像として紙などの記録媒体（図示せず）上に再生するプリンタ１７２とを有する構成となっている。プリンタ１７２としては、例えば６００ｄｐｉの解像度のものが用いられる。
【００２１】
上述した構成の説明から明らかなように、本実施形態に係る画像処理装置においては、出力側の解像度が６００ｄｐｉであるのに対して入力側の解像度はそれよりも低い４００ｄｐｉに設定されている。このように、出力側の解像度に対して入力側の解像度を低く設定する理由の一つとして、次のことが挙げられる。
【００２２】
それは、画像メモリ１６を持つシステムでは、入力側の解像度も出力側に合わせて６００ｄｐｉに設定すると、４００ｄｐｉの場合に比べて解像度が１．５倍となり、また画像メモリ１６では２次元的に画像情報を記憶することから、２．２５（＝１．５×１．５）倍のメモリ容量が必要になるからである。すなわち、画像メモリ１６の容量や周辺回路の回路規模の縮小化を図るために、入力側の解像度を出力側よりも低く設定しているのである。
【００２３】
次に、解像度変換回路１３８において、本発明の特徴とするところのタグ信号に対する解像度の変換について詳細に説明する。
【００２４】
先ず、４００ｄｐｉのタグ信号を６００ｄｐｉのタグ信号に変換する場合の変換原理について説明する。この４００ｄｐｉから６００ｄｐｉへの解像度の変換には補間法が用いられる。すなわち、図３に示すように、３画素のデータを１単位として、その１単位の間隔を変えずにこの３画素のデータを用いて補間によって４画素のデータに変換するようにする。ここでは、入力データを○で、出力データを●でそれぞれ示している。
【００２５】
一方、各画素には２ビットのタグ信号が付されている。このタグ信号（００，０１，１０，１１）を１０進数（０，１，２，３）で表わすものとし、これら４つのタグ信号０，１，２，３は４種類のスクリーン線数（これをスクリーン１，２，３，４とする）にそれぞれ対応している。そして、スクリーン１は印刷写真に、スクリーン２は地図に、スクリーン３は文字に、スクリーン４は印画紙にそれぞれ最適なスクリーン線数となる。
【００２６】
ここで、タグ信号について、一例として、図４に示す補間テーブルを使用して解像度変換を行う場合を例に採って説明する。なお、図４に示す補間テーブルのパターンは、テーブル内の上下ラインと左右ラインの値がそれぞれ全て異なるように、また左側画素値と右側画素値が入れかわった場合に出力値が異なるように構成されている。
【００２７】
図３において、最初の１単位内の３つの入力データを順にａ１，ａ２，ａ３とし、変換後の４つの出力データを順にｂ１，ｂ２，ｂ３，ｂ４とすると、出力データｂ１，ｂ４の各画素値（タグ値）については入力データａ１，ａ３の各画素値をそのまま用いる。また、出力データｂ２の画素値については、入力データａ１，ａ２の各画素値から図４の補間テーブルを用いて、出力データｂ３の画素値については、入力データａ２，ａ３の各画素値から図４の補間テーブルを用いて生成するようにする。
【００２８】
具体的には、図５に示すように、入力データａ１，ａ２，ａ３，ａ４，ａ５，ａ６，ａ７，……の各画素値が、０，０，１，０，２，０，３，……であるとすると、出力データｂ１，ｂ４，ｂ７，ｂ10の各画素値については、入力データａ１，ａ３，ａ５，ａ７の各画素値０，１，２，３がそのまま用いられる。
【００２９】
出力データｂ２の画素値については、入力データａ１が左側、入力データａ２が右側となることから、図４の補間テーブルにおいて、左側および右側共に画素値が０であるとから、出力データｂ２の画素値は０となる。出力データｂ３の画素値については、左側（ａ２）の画素値が０、右側（ａ３）の画素値が１であるため、出力データｂ３の画素値は１となる。
【００３０】
同様にして、出力データｂ５の画素値については、左側画素値が１、右側画素値が０であるため画素値が１、出力データｂ６の画素値については、左側画素値が０、右側画素値が２であるため画素値が２、出力データｂ８の画素値については、左側画素値が２、右側画素値が０であるため画素値が３、出力データｂ９の画素値については、左側画素値が０、右側画素値が３であるため画素値が３となる。
【００３１】
４００ｄｐｉから６００ｄｐｉへの解像度の変換原理は以上説明した通りである。この変換原理のもとに、本発明に係るタグ信号の解像度変換では、入力画像に対して領域ごとに指定された原稿タイプに対応した補間法を設定することにより、各原稿タイプごとに最適な印刷画像を得るようにしている。具体的には補間テーブルを複数タイプ（本例では、３タイプ）用意し、原稿タイプ（文字／写真／地図／印画紙）に応じて補間テーブルを使い分けるようにしている。
【００３２】
３タイプの補間テーブルは、図１の画像処理部１３内のＲＯＭ１４１に予め格納されている。そして図１において、ユーザーインターフェース１４から原稿タイプが指定入力されると、その情報がシステム制御部１１から画像処理部１３内のＣＰＵ１４０に与えられると、ＣＰＵ１４０は指定入力された原稿タイプに対応した補間テーブルをＲＯＭ１４１から読み出し、データバス１３９を通して解像度変換回路１３８にロードするようになっている。
【００３３】
３タイプの補間テーブルのパターンの一例を図６（Ａ），（Ｂ），（Ｃ）に示す。図６（Ａ）の補間テーブルは、原稿タイプが文字／写真（印刷）、文字および印刷写真などのときに最適なパターンであり、同図（Ｂ）は地図のときに最適なパターンであり、同図（Ｃ）は印画紙や文字／写真（印画紙）のときに最適なパターンである。
【００３４】
そして、図６（Ａ），（Ｂ），（Ｃ）の各補間テーブルでは、文字（タグ値＝２）を優先するパターンとなっている。すなわち、入力データの左側と右側の画素値のいずれかが２のときには出力データの画素値（タグ値）が必ず２になるパターンとなっている。
【００３５】
また、２（文字）を優先する条件のもとに、図６（Ａ）の補間テーブルでは、入力データの左側と右側の画素値のいずれかが０のときには出力データの画素値が０に、図６（Ｂ）の補間テーブルでは、入力データの左側と右側の画素値のいずれかが１のときには出力データの画素値が１に、図６（Ｃ）の補間テーブルでは、入力データの左側と右側の画素値のいずれかが３のときには出力データの画素値が３になるパターンとなっている。
【００３６】
これら各タイプの補間テーブルを画像処理部１３のＲＯＭ１４１内に予め格納しておき、ユーザーインターフェース（ＵＩ）１４から指定エリアに対して原稿タイプが指定されたとき、ＣＰＵ１４０がその原稿タイプに対応した補間テーブルを選択してＲＯＭ１４１から読み出しかつ解像度変換回路１３８にロードすることにより、解像度変換回路１３８には、当該回路１３８で補間されたタグ信号が、指定された原稿タイプになる確率が高くなるように補間テーブル（補間法）が設定されることになる。
【００３７】
次に、本発明の特徴とするタグ信号の解像度を変換する回路部分（以下、タグ解像度変換回路１３８Ａと称す）について説明する。ダグ解像度変換回路１３８Ａの構成の一例を図７に示す。
【００３８】
同図において、解像度変換回路１３８は、３個のフリップフロップ（Ｆ／Ｆ）回路２０１，２０２，２０３と、２個のＲＡＭ２０４，２０５と、３個のセレクト（ＳＥＬ）回路２０６，２０７，２０８とを有する回路構成となっている。そして、Ｆ／Ｆ回路２０１，２０２の各出力がＲＡＭ２０４の２つのアドレス入力となるとともに、ＳＥＬ回路２０６のＡ，Ｂ入力となり、Ｆ／Ｆ回路２０２，２０３の各出力がＲＡＭ２０５の２つのアドレス入力となる。
【００３９】
また、ＲＡＭ２０４の出力がＳＥＬ回路２０７のＢ入力となり、ＲＡＭ２０５の出力がＳＥＬ回路２０８のＡ入力となる。さらに、ＳＥＬ回路２０６がＳＥＬ回路２０７のＡ入力になるとともに、ＳＥＬ回路２０８のＢ入力となる。ＳＥＬ回路２０７は６００ｄｐｉの偶数（ＥＶＥＮ）画素の画素値を選択して出力し、ＳＥＬ回路２０８は６００ｄｐｉの奇数（ＯＤＤ）画素の画素値を選択して出力する。
【００４０】
かかる構成の解像度変換回路１３８において、２個のＲＡＭ２０４，２０５には、図１の画像処理部１３におけるＲＯＭ１４１から原稿タイプに対応してＣＰＵ１４０に読み出され、さらにＣＰＵ１４０からデータバス１３９を介してロードされる図６（Ａ），（Ｂ）又は（Ｃ）の補間テーブルがルックアップテーブル（ＬＵＴ）として格納される。
【００４１】
３個のＦ／Ｆ回路２０１，２０２，２０３は、タグ信号の補間を行う際に３画素のデータを１単位とするのに対応して設けられている。これらＦ／Ｆ回路２０１，２０２，２０３には、図５に示す画素単位のデータ配列において、４００ｄｐｉの入力データ（タグ信号）ａ１から順にコントロールクロックＣＯＮＴに同期して入力される。そして、３クロックで最初の１単位分のデータａ１，ａ２，ａ３の各画素値がそれぞれＦ／Ｆ回路２０１，２０２，２０３に格納される。
【００４２】
そして、Ｆ／Ｆ回路２０１，２０２に格納されているデータａ１，ａ２の各画素値がＳＥＬ回路２０６のＡ，Ｂ入力になるとともに、ＲＡＭ２０４のアドレス入力となり、Ｆ／Ｆ回路２０２，２０３に格納されているデータａ２，ａ３の各画素値がＲＡＭ２０５のアドレス入力となる。このとき、ＳＥＬ回路２０６はＡ入力を選択する状態にあり、ＳＥＬ回路２０７，２０８はＢ入力を選択する状態にある。
【００４３】
したがって、ＳＥＬ回路２０６のＡ入力であるデータａ１の画素値は、ＳＥＬ回路２０６で選択され、さらにＳＥＬ回路２０８で選択されてそのまま６００ｄｐｉの奇数画素の画素値ｂ１として出力される。ＲＡＭ２０４は、データａ１，ａ２の各画素値に基づいてＬＵＴ（補間テーブル）から補間値を選択して出力する。同様に、ＲＡＭ２０５は、データａ２，ａ３の各画素値に基づいてＬＵＴから補間値を選択して出力する。
【００４４】
このとき、ＲＯＭ２０４から出力される補間値については、ＳＥＬ回路２０７がＢ入力を選択する状態にあることから、ＳＥＬ回路２０７で選択されて６００ｄｐｉの偶数画素の画素値ｂ２として出力される。ただし、ＲＯＭ２０５から出力される補間値については、ＳＥＬ回路２０８がＢ入力を選択する状態にあることから、選択されずそのままの状態にある。
【００４５】
そして、次のコントロールクロックＣＯＮＴが与えられることで、ＳＥＬ回路２０６がＢ入力を選択する状態に、ＳＥＬ回路２０７，２０８がＡ入力を選択する態が変わる。これに伴い、ＲＯＭ２０５から出力される補間値がＳＥＬ回路２０８で選択されて６００ｄｐｉの奇数画素の画素値ｂ３として出力される。このとき、Ｆ／Ｆ回路２０１，２０２，２０３には、入力データａ２，ａ３，ａ４が格納される。
【００４６】
そして、Ｆ／Ｆ回路２０１，２０２に格納されているデータａ２，ａ３の各画素値がＳＥＬ回路２０６のＡ，Ｂ入力になるとともに、ＲＡＭ２０４のアドレス入力となり、Ｆ／Ｆ回路２０２，２０３に格納されているデータａ３，ａ４の各画素値がＲＡＭ２０５のアドレス入力となる。
【００４７】
したがって、ＳＥＬ回路２０６のＢ入力であるデータａ３の画素値は、ＳＥＬ回路２０６で選択され、さらにＳＥＬ回路２０７で選択されてそのまま６００ｄｐｉの偶数画素の画素値ｂ４として出力される。ＲＡＭ２０５からは、データａ３，ａ４の各画素値に基づく補間値が出力され、この補間値はＳＥＬ回路２０８で選択されて６００ｄｐｉの奇数画素の画素値ｂ５として出力される。
【００４８】
以降、上述した動作が所定のサイクルで繰り返されることにより、原稿タイプ（画像の種別）に対応してＲＯＭ１４１からＲＡＭ２０４，２０５にロードされる補間テーブル（ＬＵＴ）を用いた補間法によるダク信号の解像度変換が、入力されるデータ（タグ信号）に対して順に行われる。
【００４９】
上述したように、画像処理部１３のＲＯＭ１４１内に画像の種別（文字／写真等）に対応した図６（Ａ）〜（Ｃ）の３タイプの補間テーブルを格納しておき、ユーザーインターフェース（ＵＩ）１４から入力画像に対して領域ごとの原稿タイプが指定されたら、ＣＰＵ１４０がその原稿タイプに応じた補間テーブルをＲＯＭ１４１から読み出して解像度変換回路１３８にロードし、解像度変換回路１３８において、このロードされた補間テーブルを用いて画像データに画素ごとに付加されたタグ信号を補間し、４００ｄｐｉから６００ｄｐｉへの解像度の変換を行うようにしたことにより、ユーザーが指定した原稿タイプに応じた階調再現および指定エリアの境界処理が可能となる。
【００５０】
具体的には、抽出エリアに対して文字指定した場合は、その抽出エリア部については鮮鋭度の高い画質を得たい訳であるから、補間テーブルにおいて、右側の画素値が階調再現優先であり、左側の画素値が高解像度−文字向きであるときには、補間された画素値が高解像度−文字向きとなるように解像度の変換が行われる。また、抽出エリアに対して写真指定した場合は、その抽出エリアについては階調性の高い画質を得たい訳であるから、右側の画素値が階調再現優先であり、左側の画素値が高解像度−文字向きであるときには、補間された画素値が階調再現優先となるように解像度の変換が行われる。
【００５１】
なお、上記実施形態では、タグ信号の解像度変換の際に、画像の種別、即ち原稿タイプに応じた補間テーブルを設定するとしたが、これに限られるものではなく、カラーモードに応じた補間テーブルを設定し、この設定した補間テーブルを用いて画素値（タグ値）の補間を行うことにより、解像度を変換するようにすることも可能である。
【００５２】
具体的には、例えば図８（Ａ），（Ｂ），（Ｃ）に示す３タイプの補間テーブルを用意しておき（即ち、図１のＲＯＭ１４１に格納しておき）、ＹＭＣの３色またはＹＭＣＫの４色のカラーモードのときにはタイプ（Ａ）を、モノクロモードのときにはタイプ（Ｂ）を、鉛筆書き原稿モードのときにはタイプ（Ｃ）の補間テーブルを選択して設定し、この補間テーブルを用いてタグ信号の解像度変換を行うようにすれば良い。
【００５３】
また、上記実施形態では、入力画像に対して特定のエリアを設定する場合、ユーザーインターフェース１４から座標指定によって設定することになるが、ユーザーインターフェース１４からの座標指定に限られるものではなく、エディタ・パッド（EDITOR PAD）からペン指定によって設定することも可能である。さらに、指定エリアごとの属性の設定についても、ユーザーインターフェース１４からユーザーが指定入力するのに限られるものではなく、入力画像データからエリアごとにその属性を自動的に検知するようにすることも可能である。
【００５４】
【発明の効果】
以上説明したように、本発明によれば、入力画像に対して領域ごとに領域の属性が設定されたら、当該領域の属性を基に画素の属性を表す画素属性情報を入力画像データに対して画素ごとに付加するとともに、その領域の属性に応じた補間法を設定し、この設定された補間法に基づいて画素ごとに付された画素属性情報を補間するようにしたことにより、設定された領域の属性に最適な補間法が設定されるため、原稿タイプに応じた階調再現が可能となる。
【図面の簡単な説明】
【図１】  本発明に係るデジタル複写機の全体の構成を示すブロック図である。
【図２】  原稿全面、特定領域およびエリア信号の関係を説明するための図である。
【図３】  ４００ｄｐｉから６００ｄｐｉへの解像度変換の原理を説明するための図である。
【図４】  解像度変換の原理説明に用いる補間テーブルを示す図である。
【図５】  ４００ｄｐｉから６００ｄｐｉへの解像度変換の具体例を示す図である。
【図６】  属性を原稿タイプとした場合に用いる補間テーブルの一例を示す図である。
【図７】  タグ解像度変換回路の構成の一例を示すブロック図である。
【図８】  属性をカラーモードとした場合に用いる補間テーブルの一例を示す図である。
【符号の説明】
１１…システム制御部、１２…原稿読取部、１３…画像処理部、１４…ユーザーインターフェース（ＵＩ）、１５…ＣＣＤセンサ、１７…画像出力部、１３２…編集回路、１３４…ＴＩ分離回路、１３７…ＴＲＣ（階調補正）回路、１３８…解像度変換回路、１４０…ＣＰＵ、１４１…ＲＯＭ
【図１】
0003800883.tif 000002
【図２】
0003800883.tif 000003
【図３】
0003800883.tif 000004
【図４】
0003800883.tif 000005
【図５】
0003800883.tif 000006
【図６】
0003800883.tif 000007
【図７】
0003800883.tif 000008
【図８】
0003800883.tif 000009